(57)【要約】  使用時にリフティングするために適合されたリフティングフック（１１５）を備える、衣類を掛けるための留め具（１００）を提供する。
2016505303.tif 000002
【特許請求の範囲】
【請求項１】
使用時にリフティングするために適合されたリフティングフックを備えることを特徴とする衣類を掛けるための留め具。
【請求項２】
使用時にリフティングするために適合された更なるリフティングフックを更に備えることを特徴とする請求項１に記載の留め具。
【請求項３】
前記リフティングフックと前記更なるリフティングフックとは向かい合って設置されていることを特徴とする請求項２に記載の留め具。
【請求項４】
前記リフティングフックと前記更なるリフティングフックとは外向きに設置されていることを特徴とする請求項３に記載の留め具。
【請求項５】
前記リフティングフックと前記更なるリフティングフックとは内向きに設置されていることを特徴とする請求項３に記載の留め具。
【請求項６】
前記リフティングフックはラッチを規定するように成形されていることを特徴とする請求項１に記載の留め具。
【請求項７】
前記ラッチはガイドを規定するように成形されていることを特徴とする請求項６に記載の留め具。
【請求項８】
使用時に物干し綱に咬み合うために適合された物干し綱咬み合い部を備え、
前記物干し綱咬み合い部と前記リフティングフックとはそれぞれ、該留め具が使用時に第１略鉛直姿勢をとるように、設置されていることを特徴とする請求項１に記載の留め具。
【請求項９】
前記物干し綱咬み合い部は、該留め具が休止時に第１略鉛直姿勢に略反対の第２略鉛直姿勢をとるように、設置されていることを特徴とする請求項８に記載の留め具。
【請求項１０】
支点にそれぞれ作用する対向レバーをさらに備え、
前記リフティングフックは、前記対向レバーの表面に設置されていることを特徴とする請求項１に記載の留め具。
【請求項１１】
前記表面は、外側表面であることを特徴とする請求項１０に記載の留め具。
【請求項１２】
前記支点は、湾曲支持部を備えることを特徴とする請求項１０に記載の留め具。
【請求項１３】
閉じた配位において前記レバーを傾けるために適合された付勢手段を更に備えることを特徴とする請求項１０に記載の留め具。
【請求項１４】
前記付勢手段は、薄板バネを備えることを特徴とする請求項１３に記載の留め具。
【請求項１５】
前記付勢手段は、コイルバネを備えることを特徴とする請求項１３に記載の留め具。
【請求項１６】
前記対向レバーは、前記薄板バネを固定するための固定部を規定することを特徴とする請求項１４に記載の留め具。
【請求項１７】
グリップを更に備えることを特徴とする請求項１に記載の留め具。
【請求項１８】
該留め具の留め具端に且つ前記レバーの間に設置された協同衣類咬み合い部をさらに備えることを特徴とする請求項１に記載の留め具。
【請求項１９】
前記衣類咬み合い部は、開口を規定するように成形されていることを特徴とする請求項１８に記載の留め具。
【発明の詳細な説明】
【技術分野】
【０００１】
本発明は、閉鎖ピン及び洗濯ばさみ等、特に衣類を掛けるための留め具に関する。
【０００２】
本発明は、主に衣類を掛ける時に使用するために開発され、以下本用途に参照して説明される。しかしながら、本発明は特に本分野に限定されないと認識されたい。
【背景技術】
【０００３】
既存の構成によれば、洗濯ばさみ及び閉鎖ピン等は、物干し綱へ衣類を留める目的のために用いられる。しかしながら、既存の留め具の構成は、特に、濡れていることによって衣類の質量が重くなっている場合に、衣類が外れてしまうことを含むいくつかの問題を有している。更に、既存の構成は、留めるに先立って動作（すなわち、洗濯ばさみを開けるための洗濯ばさみの物理的操作）を要求する。
【０００４】
本発明は、先行技術の欠陥の少なくとも幾つかを克服する、または実質的に改良する、衣類を掛けるための留め具を提供すること、あるいは、少なくとも代替品を提供することを目的とする。
【０００５】
本明細書中で幾つかの先行技術の情報が参照されても、オーストラリア又は他のどの国においても、該技術における共通の一般的知識の一部を該情報が形成することを認める旨を上記参照が示しているものではないと、理解されるべきである。
【発明の概要】
【０００６】
一態様によれば、使用時にリフティングするために適合されたリフティングフックを備える、衣類を掛けるための留め具を提供する。
【０００７】
好ましくは、該留め具は、使用時にリフティングするために適合された更なるリフティングフックを更に備える。
【０００８】
好ましくは、前記リフティングフックと前記更なるリフティングフックとは向かい合って設置されている。
【０００９】
好ましくは、前記リフティングフックと前記更なるリフティングフックとは外向きに設置されている。
【００１０】
好ましくは、前記リフティングフックと前記更なるリフティングフックとは内向きに設置されている。
【００１１】
好ましくは、前記リフティングフックはラッチを規定するように成形されている。
【００１２】
好ましくは、前記ラッチはガイドを規定するように成形されている。
【００１３】
好ましくは、該留め具は、使用時に物干し綱に咬み合うために適合された物干し綱咬み合い部を備え、前記物干し綱咬み合い部と前記リフティングフックとはそれぞれ、該留め具が使用時に第１略鉛直姿勢をとるように、設置されている。
【００１４】
好ましくは、前記物干し綱咬み合い部は、該留め具が休止時に第１略鉛直姿勢に略反対の第２略鉛直姿勢をとるように、設置されている。
【００１５】
好ましくは、該留め具は、支点にそれぞれ作用する対向レバーをさらに備え、前記リフティングフックは、前記対向レバーの表面に設置されている。
【００１６】
好ましくは、前記表面は、外側表面である。
【００１７】
好ましくは、前記支点は、湾曲支持部を備える。
【００１８】
好ましくは、該留め具は、閉じた配位において前記レバーを傾けるために適合された付勢手段を更に備える。
【００１９】
好ましくは、前記付勢手段は、薄板バネを備える。
【００２０】
好ましくは、前記付勢手段は、コイルバネを備える。
【００２１】
好ましくは、前記対向レバーは、前記薄板バネを固定するための固定部を規定する。
【００２２】
好ましくは、該留め具は、グリップを更に備える。
【００２３】
好ましくは、該留め具は、該留め具の留め具端に且つ前記レバーの間に設置された協同衣類咬み合い部をさらに備える。
【００２４】
好ましくは、前記衣類咬み合い部は、開口を規定するように成形されている。
【００２５】
本発明の他の態様も開示される。
【図面の簡単な説明】
【００２６】
本発明の範囲に含まれるかもしれない他のどのフォームに関らず、例示のみを手段として、添付した図面を参照しながら、本発明の好ましい実施形態は今説明されるであろう。
【図１】本発明の好ましい実施形態に係る衣類を掛けるための留め具の斜視図を示す。
【図２】本発明の他の実施形態に係る図１の留め具の正面図を示す。
【図３】本発明の他の実施形態に係る図１の留め具の更なる正面図を示す。
【図４】本発明の他の実施形態に係る図１の留め具の下面図を示す。
【図５】本発明の他の実施形態に係る原位置での図１の留め具を示す。
【図６】本発明の他の実施形態に係る留め具を示す。
【図７】本発明の他の実施形態に係る留め具を示す。
【図８】本発明の他の実施形態に係る留め具。
【発明を実施するための形態】
【００２７】
なお、以下の説明において、異なる実施形態における同類又は同一の参照番号は、同一又は同様の機能を示す。
【００２８】
添付図面を参照して、衣類を掛けるための留め具１００の実施形態を示す。好ましい実施形態において、留め具１００はプラスチックから製造され、更に好ましくは長期に及ぶ日光への暴露及び気温の変動等による劣化に耐えるように適合された耐久プラスチックから製造される。留め具１００は、好ましくは、物干し綱等に掛けるように適合されるが、留め具１００は、必ずしも本用途に限定される必要がなく、衣類を掛ける目的のための他の物体へ留めるように適合されてもよい、と認識されるべきである。同様に、留め具１００は、衣類を掛けるために限定されるとして解釈されるべきではなく、ありうる場合のように他の品を掛けるために適合されてもよい。
【００２９】
留め具１００は、使用時にリフティング（lifting）するように適合されたリフティングフック１１５を備える。このように、殊に衣類が湿潤により余計な重量を有しているとき、留め具１００は、衣類が外れて地面へ落ちる問題を有効に対処する。具体的に、使用者は衣類を固定するためにリフティングフック１１５を使うことが可能であり、使用中に衣類が外れる可能性を実質的に減らす単純かつ効率的な方法を使うことが可能である。例えば、ズボン、ブラ、及び下着等は、咬み合うためのフック１０５へうまく差し込められるようなストラップを備える。更に、複数の留め具１００は、重量負荷を分配するために衣類の異なる点で咬み合わせるように、物干し綱離れて間隔をあけられてもよい。
【００３０】
更に、フック１１５は、衣類のストラップ等に咬み合うように必ずしも限定される必要がなく、服飾の他の部分に咬み合うように適合されてもよい。例えば、Ｔシャツの縁がフック１１５により咬み合わされてもよい。
【００３１】
特定の実施形態において、フック１１５は、留め具１００のデイジーチェーニングが可能な様に、他の留め具１００に咬み合うように適合されてもよい。更に、この実施形態における留め具１００は、隣接する留め具１００のフックに咬み合うための開口すなわち他の咬み合いを備えてよい。
【００３２】
好ましい実施形態において、留め具１００は２つのフック１１５a、１１５ｂを備える。このように、留め具１００は２つの分離した品をフッキング（hooking）するように、または、留め具１００が物干し綱に咬み合う方向にかかわらず、使用者に面する接近可能なフック１１５を効果的に提供する。
【００３３】
更に、フック１１５は使用中に接近が容易なように外向きに設置される。このように、留め具１００は、従来のように衣類に咬み合い、同時にフック１１５を使って同じ又は他の衣類と咬み合ってよい。なお、一実施形態においてフック１１５は、外向きに設置される必要はなく、内向きに設置されてもよい。この内向きに設置された配位において、フックするとの目的を果たしながらも、絡み合い等を引き起こしうる突出部のない留め具１００を提供しうる。
【００３４】
さて、図２を参照して、使用中に衣類が外れる可能性を有利に実質的に減らすように、フック１１５がラッチ（latch）を規定することは明らかである。咬み合っている間、出入りする衣類を受け入れるために外向きに曲がるようにフック１０５が適合するように、フック１１５は好ましくは柔軟である。更に、フック１１５は好ましくは、ラッチ１１０による固定のためにフック１１５へ衣類を導くためのガイド（guide）１２０を備える。ガイド１２０は、咬み合っている間衣類に咬み合い、衣類を方向付けるように、外向きに向けられる。
【００３５】
留め具１００は、物干し綱又は他の類似品に咬み合うための物干し綱咬み合い部１５０を備える。フック１１５は、使用時、留め具１００が第１略鉛直姿勢に向けられるように、設置される。また、物干し綱咬み合い部１５０は、不使用時、留め具１００が反略鉛直姿勢に休止するようになるように、設置される。具体的に、図５を参照して、留め具１００が休止する第１姿勢１００ｂを備える留め具１００の姿勢を示す。以下に更に詳細に説明されるように、留め具１００は、提示された本実施形態において物干し綱５０５に咬み合うように適合された開口を規定するように、成形された衣類咬み合い部１４０を備える。更に、図５において、フック１１５に品がフックされているとき留め具１００のとる姿勢である、第２姿勢である留め具１００を示す。
【００３６】
留め具１００は、支点１３５に作用する第１レバー（lever）１０５a及び第２レバー１０５ｂを有する対向レバーを備える。このように、圧力が操作端２０５でレバーに働き、留め具１００が開いた配位を呈するようにする。
【００３７】
好ましい実施形態において、支点１３５は、非複合材料品として留め具１００が製造可能なように、湾曲支持部を備える。言うまでもなく、支点１３５は、レバー１０５が互いに対しててこ入れ可能な、他の機械的構成を用いてもよい。
【００３８】
留め具１００は、閉じた配位においてレバー１０５を傾けるための付勢（biasing）手段１３０を備える。図２に与えられた実施形態は、閉じた配位における留め具１００を示す。付勢手段１３０は、コイルバネ等のようなバネを備えてもよい。しかしながら、好ましい実施形態が示すように、付勢手段は、レバー１０５の間に受け入れられた薄板バネを備える。図１を参照して、定位置に薄板バネを固定するための固定部１２５を受けるための縁部開口を備える。幾つかの実施形態において、操作端２０５は、留め具１００を握る時に使用者を補助するためのグリップ（grip）６０５を備える。
【００３９】
再び図２を参照して、留め具１００は、留め具１００の留め端２１０に設置された衣類咬み合い部１４０を備える。衣類咬み合い部１４０は、衣類等の固定を向上するために適合された面を規定する。具体的に、衣類咬み合い部１４０は、衣類又は留め具１００が上述の休止している配位である場合に物干し綱の、部分を受け入れるために適合された開口１４５を間に規定するように形成した。更に、衣類咬み合い部１４０は、衣類及び物干し綱などが内向き外向きに滑ることが可能なように、曲がっている。
【００４０】
〔代替実施形態〕
図Iｓ６、７、及び８において代替実施形態が提供される。提示された異なる実施形態から明らかなように、本実施形態はフック１１５の機能を保持する。
【００４１】
図６に実質的に示されているように実施形態１００ｃは、一般的に細長い寸法を有する留め具１００を提供する。さらに、留め具１００ｃは、レバーの間のコイルバネ付勢手段を備える。留め具１００ｃは、レバーを補強するために適合された補強部材６１０を備える。
【００４２】
実施形態１００ｄは、端２０５を操作する補強レバー１０５を提供する。留め具１００ｄは同様にコイルバネ付勢手段を備える。
【００４３】
実施形態１００ｅは、一直線の要素と凹んだフック１１５とを備える。留め具１００ｅは同様に薄板バネ付勢手段を備える。
【００４４】
〔解釈〕
（実施形態）
本明細書を通じて“一実施形態”又は“実施形態”との参照は、その実施形態に関連において説明された特定の機能、構造、又は特性が、本発明の少なくとも一実施形態に含まれることを意味する。故に、本明細書を通じて各所における句“一実施形態において”または“実施形態において”の登場は、必ずしも全て同一の実施形態を参照していないが、していてもよい。さらに、１つ以上の実施形態において、本開示から本分野の通常の技術を有する者に明らかなように、特定の機能、構造、又は特性は、幾つか相応しいように組み合されてもよい。
【００４５】
同様に、本発明の例示実施形態の上記説明において、本開示を効率的にする目的及び本発明の各実施形態の１つ以上の理解に役立つ目的のために、本発明の各機能は時には単独の実施形態、図、又は説明に一緒に集められている。開示のこの方法は、しかしながら、請求された（claimed）発明が、各請求項（claim）において明確に引用されているよりも多くの機能を要求すると、発明に反映して解釈されるべきでない。むしろ、後述の請求項を反映して、前述の開示された単独の実施形態の全ての機能より少なく、発明の態様はある。故に、本発明の分離した実施形態として各請求項がそれぞれを主張するとともに、発明を実施するための形態の後述の請求項は、これにより発明を実施するための形態に明確に具体化される。
【００４６】
更に、本明細書に説明された幾つかの実施形態は、他の実施形態に含まれる特徴の内その幾つかは含むが他は含まない、ただ、他の実施形態の特徴の組み合わせは、本発明の範囲内であり、他の実施形態から導かれる特徴の組み合わせも、当業者により理解されものであれば、本発明の範囲内である。例えば、後述の請求項において、請求されたどの実施形態もどの組み合わせにおいても使われることができる。
【００４７】
（物体の異なる事例）
本明細書中に使われたように、序数詞“第１”、“第２”、“第３”等の使用は、そうでないと指定されないかぎり、共通の物体を説明するために、同類の物体の異なる事例が参照されることを指示するのみであり、時間的空間的階層的又は他の方法でそのように説明された物体が所定の順序でなければならないことを意図しない。
【００４８】
（詳細な説明）
本明細書に提供された説明において、多数の具体的詳細が陳述される。しかしながら、本発明の実施形態はこれらの具体的詳細なしに実施されてもよいと理解される。他の事例において、この説明の理解を曖昧にしないために、周知の方法、構造及び技術は詳細に示されない。
【００４９】
（専門用語）
本図に図示される本発明の参照される実施形態の説明時、具体的な専門用語が明快さのために頼られるであろう。しかしながら、本発明は、そう選択された具体的用語に限定されると意図されず、各具体的用語は、同様の技術的目的を達成する同様の方法で機能する技術的に等価な物全てを含むと理解されるべきである。“前向きに”、“後ろ向きに”、“半径方向に”、“周辺に”、“上向きに”、及び“下向きに”等のような用語は、参照点を提供する便宜の言葉として使われており、制限する用語として解釈されるべきでない。
【００５０】
（備えると含む）
後述の請求項及び本発明の先行する説明において、明確な言葉又は必然的な暗示により文脈がそうでないと要求する場合を除いて、“含む（comprise）”という言葉、若しくは、“含む（comprises）”又は“含む（comprising）”のようなバリエーションは、含包的意味において使われる。すなわち、本発明の各実施形態において、述べられた機能の存在を規定し、且つ更なる機能の存在又は付加を排除しない。
【００５１】
本明細書に使われているような含む（including、which includes、that includes）とう用語もいずれも、その後に続く要素／機能を少なくとも含み、且つ他を排除しないことを意味する開いた用語である。故に、含むは、備えると同義語であり、備えるを意味する。
【００５２】
（発明の範囲）
故に、本発明の好ましい実施形態であると信じることを説明してきたが、当業者は、本発明の精神から外れずに、他の更なる改良がそこへ行われてもよく、そのような変更及び改良の全てを、本発明の範囲に含めることが意図されていることを、認識するであろう。例えば、上記所定の常套手段の幾つかは、使われてもよい手段の代表にすぎない。機能性がブロック図に付加されたり削除されたりしてもよく、操作が機能ブロックの間で置き換えられてもよい。工程が本発明の範囲に説明された方法に付加されたり削除されたりしてもよい。
【００５３】
本発明は具体的例を参照して説明されてきたが、当業者により、本発明は他の多くの方式で実施されてもよいと認識されるであろう。
【産業上の利用可能性】
【００５４】
説明された構成が、物干し綱付属物の産業に適用できることは、上記から明らかである。
【図１】
2016505303.tif 000003
【図２】
2016505303.tif 000004
【図３】
2016505303.tif 000005
【図４】
2016505303.tif 000006
【図５】
2016505303.tif 000007
【図６】
2016505303.tif 000008
【図７】
2016505303.tif 000009
【図８】
2016505303.tif 000010
【国際調査報告】
2016505303.tif 000011
2016505303.tif 000012
2016505303.tif 000013